(57)【要約】      （修正有）【課題】オフセット印刷において版面及びブランケット画線部の網点(ドット)に対して、紙上に印刷した網点(ドット)の形状径の変化を小さくする。【解決手段】  オフセット印刷インキ中組成物に米澱粉０．０１〜２．０重量％を含有する事を特徴とするオフセット印刷インキ組成物。さらに、米澱粉の平均粒径が１０μｍ以下である上記印刷インキ組成物。および当該インキを印刷してなる印刷物。【選択図】  なし【特許請求の範囲】
【請求項１】
オフセット印刷インキ組成物中に米澱粉０．０１〜２．０重量％を含有する事を特徴とするオフセット印刷インキ組成物。
【請求項２】
米澱粉の平均粒径が１０μｍ以下である請求項１記載の印刷インキ組成物。
【請求項３】
請求項１または２記載のオフセット印刷インキを紙上に印刷してなる印刷物。
【発明の詳細な説明】
【技術分野】
【０００１】
本発明は、書籍、チラシ、カタログ等の紙の印刷物に使用されるオフセット印刷インキ(以下「インキ」と略す。）を紙上に印刷した際に、優れたドットゲイン抑制を有するものである。本発明における米澱粉は通常使用されてきたトウモロコシ澱粉に比べ粒子径が小さく、形状が特異な多角形を呈しており、優れたドットゲイン抑制を有するものである。
【背景技術】
【０００２】
オフセット印刷インキは３０〜１００Ｐａ・ｓｅｃ程度の比較的粘度の高いインキである。オフセット印刷機の機構はインキが印刷機のインキ壺から複数のローラーを経由して版面の画線部に供給され、水あり印刷では非画線部に湿し水が供給され水なし印刷では非画線部がシリコン層でできておりインキを反発し、紙上に網点(ドット)にて画像を形成させている。
【０００３】
オフセット印刷は画像を形成している網点(ドット)が、版面及びブランケット画線部の網点(ドット)に対して、紙上にて網点(ドット)が大きな形状径に変化するため、画像再現性が不明確になっている。
【発明の開示】
【発明が解決しようとする課題】
【０００４】
本発明は、このような従来の技術における問題点を解決するためになされたものであり、その課題とするところは、版面及びブランケット画線部の網点(ドット)に対して、紙上にて網点(ドット)の形状径の変化を小さくすることにある。
【課題を解決するための手段】
【０００５】
即ち本発明は、オフセット印刷インキ中に米澱粉０．０１〜２．０重量％を含有する事を特徴とするオフセット印刷インキ組成物に関する。
また、本発明は、オフセット印刷インキ中に、米澱粉の平均粒径が１０μｍ以下である上記オフセット印刷インキ組成物、および当該インキ組成物を印刷してなる印刷物に関する。
【発明の効果】
【０００６】
本発明によって、版面及びブランケット画線部の網点(ドット)に対して、オフセット印刷インキ中に含有している米澱粉が堆積し、インキの転移性抑制を可能とする。
【発明を実施するための最良の形態】
【０００７】
従来オフセット印刷インキ中に含有されている澱粉は、トウモロコシ由来澱粉であり平均粒径が１０〜６０μｍであり、形状は球形である。トウモロコシ由来澱粉はオフセット印刷インキ中に対して少量含有では、インキ転移性抑制効果を発揮せず、多量添加では版面及びブランケットに対しての過剰に堆積しパイリングの発生といったトラブルとなりオフセット印刷にとって印刷困難となる。
【０００８】
本発明の米澱粉は、米澱粉或いはエーテル化米澱粉、リン酸化米澱粉も該当している。平均粒径は１０μｍ以下であり、米澱粉の形状は特異の多角形を呈しており、版面及びブランケット画線部の網点(ドット)に対して平均粒径が１０μｍ以下及び特異の多角形である故に適度に堆積しインキ転移性の抑制を可能とする。
【０００９】
本発明の米澱粉の添加量は、オフセット印刷インキ組成物の全量に対して米澱粉０．０１〜２．０重量％含有することが好ましい、さらに好ましくは０．２重量％〜０．８重量％である。０．０１重量％未満の添加量ではインキ転移性抑制効果を発揮せず、２．０重量％含有を超過する添加量では版面及びブランケットに対しての過剰に堆積しパイリングの発生といったトラブルとなりオフセット印刷にとって印刷困難をなる。
【００１０】
本発明におけるインキの組成としては、顔料５〜３０重量％、バインダー樹脂２０〜５０重量％、植物油類１〜４０重量％、溶剤１〜４５重量％、米澱粉０．１〜５重量％からなるインキが挙げられる。インキの種類としては、オフセット輪転印刷機用インキ、枚葉印刷機用インキが主なものであるが、これに限定されるものではない。
【００１１】
本発明において使用される顔料としては、一般的な無機顔料及び有機顔料を示すことができる。無機顔料としては黄鉛、亜鉛黄、紺青、硫酸バリウム、カドミムレッド、酸化チタン、亜鉛華、弁柄、アルミナホワイト、炭酸カルシウム、群青、カーボンブラック、グラファイト、アルミニウム粉、などを示すことができる。有機顔料としては、アゾ系として、Ｃ系（βナフトール系）、２Ｂ系および６Ｂ系（βオキシナフトエ系）などの溶性アゾ顔料、βナフトール系、βオキシナフトエ酸アニリド系、モノアゾイエロー系、ジスアゾイエロー系、ピラゾロン系などの不溶性アゾ顔料、アセト酢酸アリリド系などの縮合アゾ顔料、フタロシアニン系として、銅フタロシアニン（αブルー、βブルー、εブルー）、塩素、臭素などのハロゲン化銅フタロシアン、金属フリーのフタロシアニン顔料、多環顔料としてペリレン系、ペリノン系、キナクリドン系、チオインジゴ系、ジオキサジン系、イソインドリノン系、キノフタロン系顔料を挙げることができる。顔料の添加量は、印刷インキ組成物の全量に対して５〜３０重量％である。
【００１２】
本発明で使用されるバインダー樹脂とはロジン変性フェノール樹脂、ロジン変性マレイン酸樹脂、アルキド樹脂、ポリエステル樹脂及び石油樹脂等を示し、それらは任意に単独または２種類以上を組み合わせて使用できる。またバインダー樹脂は新日本石油（株）製ＡＦソルベント６の１０％希釈状態において白濁温度が４０〜１４０℃が好ましい。（白濁温度はＮＯＶＯＣＯＮＴＲＯＬ社製、ＣＨＥＭＯＴＲＯＮＩＣにて測定した。）４０℃未満だとワニスにした状態で充分なゲル弾性が得られず、１４０℃を超えると溶剤との親和性が悪くなる。
【００１３】
本発明で使用されるバインダー樹脂は、植物油類及び／または溶剤とアルミニウムキレート化合物のようなゲル化剤を添加して、１９０℃以上で溶解してワニス化したものを使用することができる。バインダー樹脂の添加量は印刷インキ組成物の全量に対して２０〜５０重量％である。
【００１４】
本発明における植物油類とは植物油並びに植物油由来の化合物であり、グリセリンと脂肪酸とのトリグリセリドにおいて、少なくとも１つの脂肪酸が炭素−炭素不飽和結合を少なくとも１つ有する脂肪酸であるトリグリセリドと、それらのトリグリセリドから飽和または不飽和アルコールとをエステル反応させてなる脂肪酸モノエステル、あるいは植物油の脂肪酸とモノアルコールを直接エステル反応させた脂肪酸モノエステル、エーテル類が挙げられる。
【００１５】
植物油として代表的ものは、アサ実油、アマニ油、エノ油、オイチシカ油、オリーブ油、カカオ油、カポック油、カヤ油、カラシ油、キョウニン油、キリ油、ククイ油、クルミ油、ケシ油、ゴマ油、サフラワー油、ダイコン種油、大豆油、大風子油、ツバキ油、トウモロコシ油、ナタネ油、ニガー油、ヌカ油、パーム油、ヒマシ油、ヒマワリ油、ブドウ種子油、ヘントウ油、松種子油、綿実油、ヤシ油、落花生油、脱水ヒマシ油などが挙げられる。
【００１６】
脂肪酸モノエステルは上記植物油とモノアルコールとをエステル交換したものや植物油の脂肪酸とモノアルコールを直接エステル反応させた脂肪酸モノエステルである。モノアルコールの代表的なものは、メタノール、エタノール、ｎ−又はｉｓｏ−プロパノール、ｎ，ｓｅｃ又はｔｅ ｔ−ブタノール、ヘプチノール、２−エチルヘキサノール、ヘキサノール、オクタノール、デカノール、ドデカノール等の飽和アルコール、オレイルアルコール、ドデセノール、フイセテリアルコール、ゾンマリルアルコール、ガドレイルアルコール、１１−イコセノール、１１−ドコセノール、１５−テトラコセノール等の不飽和脂肪族系アルコールが挙げられる。
【００１７】
エーテル類として代表的なものは、ジ−ｎ−オクチルエーテル、ジノニルエーテル、ジへプチルエーテル、ジヘキシルエーテル、ジデシルエーテル、ノニルへキシルエーテル、ノニルヘプチルエーテル、ノニルオクチルエーテル等が挙げられる。
【００１８】
本発明で使用される溶剤は芳香族炭化水素の含有量が１重量％以下の原油由来の溶剤（石油系溶剤）である。この石油系溶剤はアニリン点が７０〜１１０℃、沸点が２３０℃以上の石油溶剤が適当である。アニリン点が７０℃未満の場合には樹脂を溶解させる能力が高すぎる為インキの粘度が低くなりすぎ地汚れ耐性が充分でなくなる。またアニリン点が１１０℃を超える場合には樹脂の溶解性が乏しい為、インキの流動性が劣り、その結果光沢、着肉性が悪い印刷物しか得ることができず好ましくない。沸点が２３０℃未満の場合には印刷機上でのインキ中溶剤の放出量が多くなり、インキの流動性の劣化により、ローラーへの堆積が起こり易くなる為、好ましくない。
【００１９】
[実施例]
次に、本発明を実施例に基づいて説明する。例中、「部」は「重量部」を「％」は「重量％」を示す。尚、本発明の主旨と適用範囲を逸脱しない限り、以下の実施例は本発明を限定するものではない。
【００２０】
（オフセット印刷インキ用のワニス製造例）撹拌機、水分離器付還流冷却器、温度計付き４つ口フラスコに、ロジン変性フェノール樹脂（ハリマ化成（株）製ハリフェノール１２４８）２３部、石油樹脂（日石化学（株）製ニッセキネオポリマー１３０）２０部、大豆油  １２部、石油系溶剤（新日本石油（株）製ＡＦソルベント７）４４部、ゲル化剤（川研ファインケミカル（株）製ＡＬＣＨ）１部を１９０℃で１時間加熱撹拌してオフセット印刷インキ用ワニスを得た。
【００２１】
（オフセット印刷インキ組成物の製造例）オフセット印刷インキ用のワニス６０部に、カーボンブラック（三菱化学（株）製  ＭＡ７７）１９部、キシレン樹脂変性アルキッド樹脂３部、マイクロクリスタリン系ワックスコンパウンド（森村ケミカル（株）製ＭＣ−Ｔ２コンパウンド）３部、石油系溶剤（新日本石油（株）製ＡＦソルベント７）１０部を加え、常法に従い三本ロールを用いてオフセット印刷インキ組成物を得た。
【００２２】
前記オフセット印刷インキ組成物の製造例で本発明における平均粒径３〜８μｍでかつ多角形である米澱粉０．５部を含む印刷インキを、表１の実施例１とした。
【００２３】
前記オフセット印刷インキ組成物の製造例で本発明における米澱粉或いはエーテル化米澱粉、リン酸化米澱粉以外で本請求範囲から逸脱する平均粒径３〜８μｍでかつ球状である澱粉０．５部を含む印刷インキを、表１の比較例１とした。
【００２４】
前記オフセット印刷インキ組成物の製造例で本発明における米澱粉或いはエーテル化米澱粉、リン酸化米澱粉以外で本請求範囲から逸脱する平均粒径３〜８μｍでかつ球状である澱粉２．５部を含む印刷インキを、表１の比較例２とした。
【００２５】
前記オフセット印刷インキ組成物の製造例で本発明における米澱粉或いはエーテル化米澱粉、リン酸化米澱粉以外で本請求範囲から逸脱する平均粒径１５〜３０μｍでかつ球状である澱粉０．５部を含む印刷インキを、表１の比較例３とした。
【００２６】
前記オフセット印刷インキ組成物の製造例で本発明における米澱粉或いはエーテル化米澱粉、リン酸化米澱粉以外で本請求範囲から逸脱する平均粒径１５〜３０μｍでかつ球状である澱粉２．５部を含む印刷インキを、表１の比較例４とした。
【００２７】
前記オフセット印刷インキ組成物の製造例でいずれの澱粉を含まない印刷インキを、比較例５とした。
【００２８】
前記オフセット印刷インキ組成物の製造例で本発明における平均粒径３〜８μｍでかつ多角形である米澱粉２．５部を含む印刷インキを、表１の比較例６とした。
【００２９】
【表１】
2006249281.tif 000002
【００３０】
（印刷物の網点(ドット)形状径測定）三菱重工株式会社製オフ輪印刷機 ＮＥＯ８００にて印刷回転速度８００ｒｐｍ、印刷枚数５０,０００枚印刷時に印刷物採取し、ＧＲＥＴＡＧ-ＭＡＣＢＥＴＨ反射濃度計Ｄ１９６にて、版面上５０％網点(ドット)の形状径値を測定した。
【００３１】
【表２】
2006249281.tif 000003
【００３２】
表２の本発明による実施例１で示されるオフセット印刷インキ組成物の印刷物は、版面上５０％網点形状値が小さく良好であり、版面及びブランケットに対するパイリングの発生はなく良好な結果が得られた。